(57)【要約】    【課題】  遮熱効果が高く、遮光率の調整を容易としてハウス内部の明るさを確保し、しかもシートの安定性がよく縦及び横方向の強度が高く縮みや変形を生じ難く、かつ軽量であって嵩が低く取り扱い性に優れた農業用遮熱シートを安価に提供する。    【解決手段】  農業用遮熱シート１０は、金属蒸着層３を片面に有し、低融点ポリマーからなる保護層４を蒸着面及び非蒸着面共に設けた透光率が２０〜８０％である蒸着テープ１を経糸１１及び緯糸１２に用いて平織物１０に織成し、該経糸１１と緯糸１２との交点１５を熱融着してなり、前記経糸１１及び緯糸１２を構成する各蒸着テープ間に隙間１３，１４を有する。    【選択図】    図２  
0003104069.tif 000002
【実用新案登録請求の範囲】
【請求項１】
金属蒸着層を有し、低融点ポリマーからなる保護層を蒸着面及び非蒸着面共に設けた蒸着テープを経糸及び緯糸に用いて織成し、該経糸と緯糸との交点を熱融着してなることを特徴とする農業用遮熱シート。
【請求項２】
金属蒸着層を有し、低融点ポリマーからなる保護層を蒸着面及び非蒸着面共に設けた透光率が２０〜８０％である蒸着テープを経糸及び緯糸に用いて織成し、該経糸と緯糸との交点を熱融着してなることを特徴とする農業用遮熱シート。
【請求項３】
前記経糸及び緯糸を構成する各蒸着テープ間に隙間を有することを特徴とする請求項２に記載の農業用遮熱シート。
【請求項４】
前記経糸及び緯糸の金属蒸着面側を該シートの片面側に向けて織成してなることを特徴とする請求項２又は３に記載の農業用遮熱シート。
【請求項５】
前記蒸着テープが合成樹脂フィルムの片面にアルミニウムの蒸着層を形成しテープ状に裁断してなることを特徴とする請求項２〜４のいずれかに記載の農業用遮熱シート。
【請求項６】
前記蒸着層の厚みが０．００５〜０．０２μｍであることを特徴とする請求項５に記載の農業用遮熱シート。
【請求項７】
前記蒸着テープの幅が０．５〜５．０ｍｍである請求項２〜６のいずれかに記載の農業用遮熱シート。
【請求項８】
農業用ハウス等の外張シートに使用されるものである請求項１〜８のいずれかに記載の農業用遮熱シート。
【考案の詳細な説明】
【技術分野】
【０００１】
本考案は、農作物等のハウス栽培に用いられるビニールハウス、トンネルハウスなどの主として外張シートとして好適な農業用遮熱シートに関する。
【背景技術】
【０００２】
近年、農作物や園芸作物は周年収穫を可能とするハウス栽培、トンネル栽培等の施設栽培が盛んに行われている。このようなビニールハウスには、植物の育成に必要な太陽光の光量とハウス内部の温湿度を調整するための通気性を有する種々の遮光性、遮熱性を有する農業用シート（ネット）がハウスの外張シート或いは内張シートとして使用されている。
【０００３】
従来、このような農業用シートとしては、合成樹脂フィルムを基材として表面に金属蒸着層を設けた積層体テープ、アルミニウム粉や酸化アルミニウム等の金属粉や白色顔料を練り込んだ銀色や白色テープ、カーボンブラックを混練した黒色テープ、またアルミニウム箔を表面にラミネートした銀面化テープ等を経糸及び緯糸に用いて編織した農業用シート、また経糸又は緯糸にこれらのテープを用いて他方にモノフィラメントなどの他の繊維糸を用いて編織した農業用シートが種々知られている。
【０００４】
例えば、金属蒸着した防湿性透明フィルムの蒸着面に、ポリエステルポリオールとポリイソシアネートの反応硬化物から成る接着剤を介して、保護フィルムを積層して成るテープ状遮光フィルムを、少なくとも一部に用いた編織物から成る遮光ネットが開示されている（特許文献１）。
【特許文献１】特許第２６３４２０５号公報
【考案の開示】
【考案が解決しようとする課題】
【０００５】
しかしながら、上記のような編織物からなる農業用シートは、例えば、表面にアルミニウム等の金属蒸着による遮光処理を施した遮光性テープを挿入糸として他の繊維糸を用いてラッセル織りやからみ織りによって編織したシートでは、遮熱効果があり内部からの反射光でハウス内を明るくするが、遮光性が高く太陽光が入り難くハウス内の採光性が不足し、また、シートが嵩張って重くなり取り扱い性に欠け、シート横方向の引っ張りに弱く縮みや変形を生じるおそれがあり、かつシートの遮光率や遮熱性の調整が編織組織やテープ間隔の調整などによるためシートの製造が容易でないという欠点がある。
【０００６】
また、黒色テープを用いたシートは、遮熱効果は高いがハウス内部に熱がこもりやすく、透光性が低いためハウス内が暗くなり農作物の育成に必要な太陽光が入り難く、銀色や灰色のテープは、ハウス内をある程度明るくすることはできるが、遮熱効果が低く、遮光性が高いためにハウス内に太陽光が入り難いと言う欠点があり、従来の農業用シートでは遮熱効果とハウス内部の明るさ（採光性）の両立が困難なものであった。
【０００７】
さらに、スパッタリングでフィルム表面に金属を付着させるものは高価になり、アルミ箔を積層したテープはシートが重くなって取り扱い性や作業性に欠け、焼却するとアルミ箔が金属として残るため使用後の廃棄処理が容易でないなど種々の問題があり、さらに優れた農業用シートが求められている。
【０００８】
そこで本考案は、上記問題に鑑み、農業用シートの遮熱効果が高く、遮光率の調整を容易としてハウス内部の明るさを確保し、しかもシートの安定性がよく縦及び横方向の強度が高く縮みや変形を生じ難く、かつ軽量であって嵩が低く取り扱い性に優れた農業用遮熱シートを安価に提供することを目的とする。
【課題を解決するための手段】
【０００９】
本考案の農業用遮熱シートは、金属蒸着層を有し、低融点ポリマーからなる保護層を蒸着面及び非蒸着面共に設けた蒸着テープを経糸及び緯糸に用いて織成し、該経糸と緯糸との交点を熱融着してなることを特徴とする。
【００１０】
本考案の農業用遮熱シートであると、遮熱効果が高く遮光率の調整が容易な製織性を向上して製造しやすいシートとし、経糸と緯糸との交点を熱融着することで強度が高く縮みや変形し難く、また目ズレやほずれを防止して、かつ軽量で取り扱い性のよいものとすることができる。
【００１１】
また、本考案の農業用遮熱シートは、金属蒸着層を有し、低融点ポリマーからなる保護層を蒸着面及び非蒸着面共に設けた透光率が２０〜８０％である蒸着テープを経糸及び緯糸に用いて織成し、該経糸と緯糸との交点を熱融着してなることを特徴とする。
【００１２】
この農業用遮熱シートであると、蒸着テープの透光率を変更することで、遮熱効果や遮光率の調整がより容易となり、シート外側からの太陽光や熱を適度に反射しながら必要量を透過し、内側からの光や熱は内部に反射させてハウス内の温度や明るさを調整して農作物の育成に最適な環境とすることができる。この蒸着テープの透光率が２０％未満であると保温性、採光性を確保することが困難となり、８０％を越えると太陽光の透過率が過多となり遮熱効果を維持することが難しくなる。この蒸着テープの透光率は使用されるハウスの構造や容積、作物の種類など用途や季節によりこの範囲内で選択し使用され、また、シートの遮光率は蒸着テープの透光率を任意に選択することで容易に調節できるのでシートの製造工程も従来の複数のテープや繊維糸を組み合わせたものに比べ大幅に簡略化することができる。
【００１３】
本考案の農業用遮熱シートにおいては、前記経糸及び緯糸を構成する各蒸着テープ間に隙間を有することで、遮熱効果や遮光率の調整がより容易となり、また通気性や通水性を向上するものとなり過剰な湿気や熱を放出してハウス内部の温湿度、明るさを適度に保つことができる。
【００１４】
また、前記農業用遮熱シートは、前記経糸及び緯糸の金属蒸着面側を該シートの片面側に向けて織成してなることにより、蒸着面側を農業用シートの外側に向け使用することで、特に夏期の太陽光線や熱を反射して遮熱効果を高め、内側は光を乱反射して明るさを均一にすることができる。
【００１５】
そして、本考案の農業用遮熱シートは、前記蒸着テープが合成樹脂フィルムの片面にアルミニウムの蒸着層を形成しテープ状に裁断してなることで、汎用金属を用いた蒸着層を公知の蒸着方法で形成することができ、従来からの蒸着加工法により耐久性に優れ、蒸着面側では銀面化により光や熱を適度に反射し必要量を透過させ、非蒸着面側では光や熱を乱反射させハウス内部の温度や明るさを均一化することができ、この蒸着テープを織成することで農業用遮熱シートの製造を容易にしコストを抑えたものとなる。
【００１６】
また、前記蒸着層の厚みが０．００５〜０．０２μｍであると、従来よりも薄いアルミニウム蒸着層の形成により２０〜８０％の範囲で所望の遮光率を調節する蒸着テープを得ることができる。そして、この蒸着テープを用いた農業用遮熱シートの遮熱効果や遮光率をテープ間の隙間と組合せ調整することが容易となる。
【００１７】
また、前記蒸着テープの幅が０．５〜５．０ｍｍであると、シートの織成加工性を損なわず、遮熱効果や遮光率の調整を確実に実施することができる。テープ幅が０．５ｍｍ未満であるとテープの裁断や編織加工が困難となり、５．０ｍｍを越えるとシートの柔軟性が低下しハウス外張シートの開閉作業などの取り扱い性が損なわれ、収容時には嵩高となり収納性にも欠け好ましくない。
【００１８】
そして、この農業用遮熱シートを農業用ハウス等の外張シートに使用することで、ハウス外部からの直射日光や太陽熱を適度に反射しながら必要量を透過し、さらに過剰な湿気や熱を外部に放出してハウス内部の保温性、採光性や湿度を適度なものとし、特に夏期には遮光、遮熱効果により温度上昇を防ぎ、冬期には保温効果を発揮して夏冬を通して農作物の育成と作業環境を向上し、またハウス内の冷暖房を節約することで省エネルギー化を図ることができる。この場合、シートの金属蒸着面側を外張シートの外側に向けて使用することにより、前記作用をより効果的なものとする。
【考案の効果】
【００１９】
本考案にかかる農業用遮熱シートは、シートの遮熱効果や遮光率が蒸着テープの透光率の選択とテープ間の隙間により容易に調節できるので、シートの部材数やテープの配列構成を簡易にして製造しやすく、ハウス内の温湿度や明るさなどの環境条件を適正に保つことが容易であり、周年を通じて使用可能な農業用遮熱シートを提供するものとなる。また、シート強度が高く縮みや変形を生じ難くし、目ズレやほずれを防止して耐久性に優れ繰り返し使用することができ、かつ軽量で取り扱い性に優れ、収容時には嵩高になることがなくコンパクトな収納を可能とするハウス栽培やトンネル栽培の外張シートに好適なシートを安価に提供することができる。
【考案を実施するための最良の形態】
【００２０】
以下に本考案の実施の形態を図面に基づいて具体的に説明する。
【００２１】
図１は本考案に係る一実施形態を示す透光率２０〜８０％にある金属蒸着テープ１の断面図である。この蒸着テープ１は、基材となる合成樹脂フィルム２の片面にアルミニウム等の金属蒸着層３を設けたものであり、さらに蒸着層３の上面及び非蒸着面側のフィルム面に低融点ポリマーからなる保護層４，４ａを被覆した積層フィルムを所定幅のテープ状に裁断したものである。
【００２２】
合成樹脂フィルム２は、ポリエチレンテレフタレート（ＰＥＴ）、ナイロン６、６６等の各種ナイロン、ポリエチレン、ポリプロピレン、エチレン酢酸ビニル重合体などの各種合成樹脂からなるフィルムが使用できる。フィルム２は一軸延伸や二軸延伸法などの通常の製膜方法で製膜した厚み１０〜１００μｍ程度、好ましくは１０〜５０μｍ、特に好ましくは１２〜２５μｍのフィルムが使用できる。このフィルム２の厚みが薄すぎると強度、耐久性が低下し、厚くなると重量が増し、剛直となってシートの取り扱い性や織成加工性が悪化する。
【００２３】
金属蒸着層３は、上記フィルム２の片面にアルミニウム、ニッケル、クロム、チタン、スズ、銀、ステンレスなどを公知の蒸着法により蒸着したもので、例えばフラッシュ蒸着、アーク蒸着、電子ビーム蒸着、レーザ蒸着等の真空蒸着法、イオンビームスパッタリング、マグネトロンスパッタリング等のスパッタリング蒸着などが挙げられる。
【００２４】
中でも、アルミニウムを真空蒸着法によりフィルム２表面に蒸着するものが、蒸着層３の厚みを調整しやすくし、コスト、蒸着安定性の点で好ましくい。
【００２５】
蒸着層３の厚みは、蒸着金属がアルミニウムの場合は０．００５〜０．０２μｍ程度、好ましくは０．０１〜０．０２μｍの範囲であり、従来の反射性を有する、すなわち透光率０％のアルミニウム蒸着層よりも薄い蒸着層を形成することで透光率２０〜８０％の範囲の半透光性フィルムが得られ、このフィルムを所定幅でテープ状に裁断することで所望の透光率を有する蒸着テープ１が得られる。
【００２６】
このアルミニウム蒸着層３の厚みが０．００５μｍより薄いと透光率が８０％を越えてシートの遮光性が低下しハウス内への太陽光や熱の透過が過多となり遮熱効果が十分発揮されず、０．０２μｍを越えると蒸着テープ１の透光率が２０％未満となり遮熱性は得られるが採光性が低下しハウス内が暗くなり温度や明るさの確保が難しくなり本考案の目的を達成できない。また、フィルムの両面に金属蒸着を行うと、フィルムの片面を銀面化して光や熱を反射させ、他方の非蒸着面で光や熱を乱反射させることによる明るさや温度調整機能が低下する。なお、アルミニウム以外の金属を使用する場合の蒸着層３の厚みは、上記蒸着金属の種類により適宜変更し、所望の遮光率に調整し使用することができる。
【００２７】
この蒸着層３の厚みを調整することにより蒸着テープ１の透光率を２０〜８０％の範囲に調整してシート１０に用いられ、実用的には透光率３０〜７０％の範囲で用いられることが多く、後述する織成後のテープ間に設けられる隙間の間隔との組み合わせで遮光性が調節される。
【００２８】
また、蒸着層３の上面及び非蒸着面側のフィルム２の表面に設けた低融点ポリマーからなる保護層４，４ａは、蒸着テープ１を経糸１１及び緯糸１２に用いて織成した後の織物を加熱圧着して経糸１１と緯糸１２との交点１５に熱融着部を形成し、経糸１１及び緯糸１２を固定しシート強度を高め、かつ目ズレや切断時のほずれを防止するものであり、また、保護層４は蒸着層３の金属酸化を防止する効果を兼ね備えている。
【００２９】
この低融点ポリマーとしては、低密度ポリエチレン、エチレン−酢酸ビニル共重合体、エチレン−アクリル酸共重合体などを挙げることができ、その厚みは５〜２５μｍ程度が好ましい。
【００３０】
蒸着テープ１は、上記蒸着層３と保護層４，４ａを形成したフィルムを通常のスリッター等の裁断機により所定幅のテープ状にカットしたものである。この蒸着テープ１の幅は０．５〜５．０ｍｍ程度であり、テープ幅が０．５ｍｍ未満であるとテープの裁断加工によるカット性やシートの織成加工が煩雑かつ困難となり、５．０ｍｍを越えるとシートの柔軟性が低下し外張シートの開閉作業などの取り扱い性が損なわれ、収納時には嵩高となりコンパクト性に欠けるなどの問題が生じてくる。
【００３１】
図２は、蒸着テープ１を経糸１１及び緯糸１２に用いて平織物に織成した実施形態の農業用遮熱シート１０を示す平面図である。
【００３２】
農業用遮熱シート１０は、蒸着テープ１を経糸１１及び緯糸１２としてそれぞれテープ１の蒸着面側１ａを上方に向けて配され、経糸１１及び緯糸１２のそれぞれのテープ１，１間にシート１０の通気性や通水性を確保する目合いとなる隙間１３，１４を設けて平織物に織成されている。
【００３３】
織成後の平織物は保護層４，４ａの低融点ポリマーの融点以上の温度で加熱圧着され、経糸１１と緯糸１２の交点１５が熱融着され固定される。これにより、経糸１１及び緯糸１２のずれを防いでシート１０の縦及び横方向の強度を高めて縮みや変形を防ぎ、また目ズレや切断時のほずれを防止し耐久性に優れたシートとする。
【００３４】
この農業用遮熱シート１０は、平織物で構成されることで織成効率がよく、経糸１１及び緯糸１２となる蒸着テープ１の透光率を変化させ、また隙間１３，１４の間隔を調整することでシート１０の遮熱効果や遮光率を広範囲に調整することが容易に可能となる。
【００３５】
この隙間１３，１４の間隔は、特に制限されることはないが、ビニールハウスの外張シートに用いる場合は、０．５〜５ｍｍ程度が好ましく、０．５ｍｍ未満では通気性や通水性が不足し、５ｍｍを越えると蒸着テープ１を用いたシート１０の遮熱効果や遮光性の発揮が困難となる。
【００３６】
本考案の農業用遮熱シート１０は、ハウス栽培やトンネル栽培等のビニールハウスの外張シートとして好適に使用され、シート１０の金属蒸着面側１ａをハウスの外側に向けて用いることで、外部からの光や熱を適度に反射しかつ必要量を透過させ、内部からの光や熱を内側に乱反射させることで、ハウス内の適度な温湿度や明るさを確保し、夏冬期を通じて農作物の育成、病気の予防、及び農作業に適した環境条件を創り出すことができ、特に夏期の強い太陽光や熱を適度に反射してハウス内部の採光性を確保した上で温度上昇を抑える遮熱効果に優れたものとなる。
【実施例】
【００３７】
製膜した厚み２０μｍのＰＥＴフィルム２の片面に厚み０．０１５μｍのアルミニウム蒸着層３を真空蒸着により形成し透光率３５％の遮光性フィルムを製造し、このフィルム両面に低密度ポリエチレン（融点１１２℃）を用いて押出ラミネートにより厚み１５μｍの保護層４，４ａを設け、このフィルムを幅４ｍｍのテープ状にカットし図１に示す蒸着テープ１を得た。
【００３８】
この蒸着テープ１のアルミニウム蒸着面１ａ側を上方に向けて経糸１１及び緯糸１２とし、それぞれのテープ間に２．５ｍｍの隙間１３，１４を設けて平織物に織成し、１２０℃で平織物の両面から加熱圧着し経糸１１と緯糸１２との交点１５に熱融着部を設け、図２に示す遮熱遮光シート１０を製造した。
【００３９】
この農業用遮熱シート１０は、透光率３５％の蒸着テープ１と隙間１３，１４との相互作用により遮光率が５５％である遮熱効果と採光性を両立するものとなり、シート強度が高く耐久性、取り扱い性のよいビニールハウスの外張用シートに好適なものとなる。
【産業上の利用可能性】
【００４０】
本考案の農業用遮熱シートは、農業用、園芸用などの農業用シートに適し、特にハウス栽培やトンネル栽培、温室などの外張シートに好適に使用でき、内張りカーテンなどの他の農業用シートとしても勿論使用することができるものである。
【図面の簡単な説明】
【００４１】
【図１】実施形態の蒸着テープの斜視図である。
【図２】実施形態の農業用遮熱シートの部分平面図である。
【符号の説明】
【００４２】
１……蒸着テープ
１ａ……金属蒸着面
２……フィルム
３……金属蒸着層
４，４ａ……保護層
１０……農業用遮熱シート
１１……経糸
１２……緯糸
１３，１４……テープ間の隙間
１５……経糸と緯糸の交点
【図１】
0003104069.tif 000003
【図２】
0003104069.tif 000004